(57)【要約】【課題】短時間で吸水膨潤し、ある程度の流速に対しても流失せずに容易に持ち運びが可能な高吸水性物質を封入した土嚢袋を得る。【解決手段】両端部をそれぞれ内方へと折り返しマチ状に編み込まれた植物繊維で形成された土嚢袋の表裏のどちらか一方に自在に開閉可能なファスナーを設けるとともに、土嚢袋内に植物繊維粉をメチルアルコールにより液状物とし、前記液状物に高吸水性ポリマーと重炭酸カルシウムを混合混練し、吸水膨潤時の嵩比重が１．１〜２．０とした高吸水性物質を封入した。【選択図】　　　　　図１
2004027792.tif 000002
【特許請求の範囲】
【請求項１】
両端部をそれぞれ内方へと折り返しマチ状に編み込まれた植物繊維で形成された土嚢袋の表裏のどちらか一方に自在に開閉可能なファスナーを設けるとともに、土嚢袋内にメチルアルコールに植物繊維粉を溶解し液状物とし、前記液状物に高吸水性ポリマーと重炭酸カルシウムを混合混練し、吸水膨潤時の嵩比重が１．１〜２・０とした高吸水性物質を封入したことを特徴とする土嚢袋。
【発明の詳細な説明】
【０００１】
【発明の属する技術分野】
本発明は、開閉自在なファスナーを設けた土嚢袋体内に高吸水性ポリマーとメチルアルコール及び重炭酸カルシウム及び植物繊維粉を混合混練した高吸水性物質を封入した土嚢袋に関するものである。
【０００２】
【従来の技術】
洪水等の災害発生時による河川及び湖沼に構築された堤防等の決壊や台風や大雨による家屋の浸水及び地下施設への水の流入など数多くの水災害が発生するが、これらの水災害は人為的にも公共的にも多大なる損失を被ることがあり、それらの災害から容易に災害の防止をするために、従来より麻袋に土や砂利、土砂などを詰め込んだ土嚢が使用されていた。また、水を吸水する水膨潤性吸水性樹脂や高分子吸水性ポリマー等の吸水性樹脂材を麻袋の中に中綿を設けその中にパック化した吸水性樹脂を収納したものが一般的に知られている。
【０００３】
【発明が解決しようとする課題】
しかしながら、従来の土嚢を使用する場合には、その災害現場において全て人力によって土、砂利、土砂を詰め込まなければならず、災害時に大勢の人力を確保することや詰め込む土や砂利及び土砂などの大量の材料の保管場所やそれらの材料の運搬についても、緊急時の災害現場での対応に多大なる問題があった。また、土や砂利及び土砂などを詰め込んだ麻袋は１５ｋｇ〜３０ｋｇ前後の重量があり、人手のいる水災害時において婦女子が運んだり、積み重ねる作業は不適当であった。
【０００４】
一方、吸水性樹脂材を収納した土嚢は重量が２００ｇ〜３ｋｇ前後の持ち運びが容易な土嚢であるが、水を吸水膨潤した土嚢は２５ｋｇ以上の重量となり、容易に持ち運びが出来ないとともに、これら吸水性樹脂材を備える土嚢は、水を吸収膨潤する時に水と接触する表面から吸収を開始するため、外表面に被膜を形成してしまい内部まで完全に吸水しにくく、土嚢として使用可能な状態となるまで５分〜１５分という時間がかかってしまい、水の浸水や流入に対して積み重ねしても流失してしまう等の問題があった。また、吸水膨潤しても比重が水と同じであるため水に浮き易く、流れのある中では流失し易いために吸水膨潤しても使用出来ないという問題があった。
【０００５】
また、従来から使用されている麻袋等の袋体は一端を直線的に縫い込んだものであるため、種々の吸水性樹脂材や土などの天然材を使用しても吸水時の袋体に余裕がなく、土嚢中央部付近が大きく膨らむ傾向が高く、積み重ねても各々の土嚢間に隙間が生じてしまい止水が出来ず土嚢本来の効果が得られないという問題があった。
【０００６】
本発明は従来の土嚢の種々なる問題点に鑑みなされたもので、緊急時の水災害において短時間で吸水膨潤し、婦女子でも容易に持ち運びが可能であるとともに、流れのある設置場所においても、容易に流失せず止水及び耐流効果を発揮し、使用後の放置に際しても無害である土嚢袋を提供することを目的とする。
【０００７】
【課題を解決するための手段】
上記目的を達成するために、両端部をそれぞれ内方へと折り返しマチ状に編み込まれた植物繊維で形成された土嚢袋の表裏のどちらか一方に自在に開閉可能なファスナーを設けるとともに、土嚢袋内にメチルアルコールに植物繊維粉を溶解し液状物とし、前記液状物に高吸水性ポリマーと重炭酸カルシウムを混合混練し、吸水膨潤時の嵩比重が１．１〜２．０とした高吸水性物質を封入したことを特徴とする土嚢袋である。
【０００８】
【発明の実施の形態】
以下、図面を参照して、本発明の実施の形態を詳細に説明する。
第１図は本発明に係る土嚢袋の一実施例を示す平面図であり、第２図は第１図の側面図である。第３図は土嚢袋の吸水膨潤を示す一実施例であり、第４図は耐水性及び止水性を示す一実施例である。
本発明の土嚢袋１は、通水性が高く容易に引き裂かれない植物繊維で織られた麻袋等であり、この麻袋の両端部をマチ状２に編み込みされた土嚢袋１の表裏のどちらか一方に開閉自在なファスナー等３を設けている。前記植物繊維で織られた土嚢袋１の素材は不織布、合成繊維、紙等の袋体でもよく、通気性に優れ強靱な袋体であればよい。また、開閉自在なファスナー３は土嚢袋１内に封入する高吸水性物質４が土嚢袋１外へと流失しない方法であれば、特にファスナー３に限定するものではない。
【０００９】
前記、土嚢袋１は略長方体形状を形成しているので、吸水膨潤前後の土嚢袋１の積み重ねにおいても、隙間なく積み上げが可能であるとともに、マチ状２に編み込まれた袋形状であるため型崩れせず、吸水膨潤した土嚢袋１間の隙間を最小限に抑え、水の流れによる止水並びに流速による土嚢袋１の流失に十分に耐える形状を有する。
【００１０】
また、土嚢袋１内に封入する高吸水性物質４は、高吸水性ポリマーがその性能を発揮しないメチルアルコールに植物繊維粉を溶解混合し、硬化しない時点で重炭酸カルシウムを混合混練することにより、植物繊維粉は重炭酸カルシウムと高吸水性ポリマーを包含、または植物繊維粉の間に重炭酸カルシウム及び高吸水性ポリマーがからみ合い、混合混練時に使用されるメチルアルコールは蒸発し、吸水膨潤していない高吸水性ポリマーと重炭酸カルシウム及び植物繊維粉のみで形成される高吸水性物質４である。
【００１１】
前記高吸水性物質４は、高吸水性ポリマーと重炭酸カルシウム及び植物繊維粉それぞれが均一に隙間を形成しているため、それぞれの隙間が水の道となり初期吸水時とほぼ同様に高吸水性物質４全体に水が到達し膨潤を続けるため、土嚢袋１内に封入した高吸水性物質４の内部まで完全に吸水が可能となる。
【００１２】
次に、高吸水性物質４を封入した土嚢袋１を通水性及び耐久性の備えた麻素材を用いて縦４５０ｍｍ，横３００ｍｍ，厚み２０ｍｍ〜２５ｍｍの袋状とし、表裏の一方に開閉自在なファスナー３を設け、両端部を袋内方へと折り込みマチ状２の袋体に形成した。一方、高吸水性物質は高吸水性ポリマー（商標名：アクアパールＤＳ５０Ｋ）５０ｇと重炭酸カルシウム１５００ｇ及び植物繊維粉（桧粉）１４０ｇ、メチルアルコール６００ｃｃを混合混練し袋内へと封入して形成された土嚢袋１を製作した。
【００１３】
この土嚢袋１を第３図の水路５（高さ６０ｃｍ、幅１００ｃｍ、長さ３０ｍ）に設置し、水６を流入させ吸水膨潤時間３分間での吸水膨潤を測定したところ全体の約９０％の吸水膨潤が測定され、総重量は１３．５ｋｇ、吸水量は１１．１ｋｇ、見かけ比重は１．３であり、吸水した土嚢袋１の厚みは吸水前の５倍となり約１００ｍｍとなった。また、吸水膨潤後もマチ状袋形状のために略長方体形状を有しているので、水路５に土嚢袋１が完全に水没した状態で流速約０．７ｍｓの条件下で設置しても、流出されることなく底面全体での均一な摩擦抵抗により安定した状態で静止していた。
【００１４】
第４図においては、水路５内に土嚢袋１を隙間を埋めるよう一段、二段、三段に積み上げ、高さ７０ｍｍ程度とし、最上部付近の６０ｍｍまで水を上昇させると最下部の土嚢から吸水を開始し、約２分４５秒で高さ４５０ｍｍの土嚢となり漏水は見られず止水状態と保つことができた。
【００１５】
【発明の効果】
本発明は、以上説明したように構成されているので、以下に記載される効果を奏する。
【００１６】
本発明の土嚢袋は、土嚢袋の表裏の一方に設けた開閉自在のファスナーによって、高吸水性ポリマー、重炭酸カルシウム、植物繊維粉、メチルアルコールを混合混練した高吸水性物質の封入や取り出しを容易にするとともに、土嚢袋の両端部を内方へと折り込みマチ状としたことにより、吸水膨潤時の形状が略長方体となり設置した時の設置面積が底面全体となるので、流れのある設置場所においても摩擦抵抗が大となり流失しない効果を奏する。
【００１７】
また、吸水膨潤前の自重が２．０〜３．０ｋｇとあるため、水災害前の危険箇所に予め設置しておいても、水の流入時に流されることなく下段の土嚢袋から吸水膨潤するので、事前に水災害防止が可能な効果を奏するとともに、吸水膨潤時の自重も１０ｋｇ〜１５ｋｇであるため災害復旧における除去作業も容易に婦女子が行える効果を奏する。
【図面の簡単な説明】
【図１】本発明に係る土嚢袋の一実施例を示す平面図である。
【図２】第１図の側面図である。
【図３】土嚢袋の吸水膨潤及び耐水性及び示す一実施例である。
【図４】土嚢袋の止水性を示す一実施例である。
【符号の説明】
１　土嚢袋
２　マチ
３　ファスナー
４　高吸水性物質
５　水路
６　水
【図１】
2004027792.tif 000003
【図２】
2004027792.tif 000004
【図３】
2004027792.tif 000005
【図４】
2004027792.tif 000006